(57)【要約】【課題】果実類を詰めて、商品陳列棚に載置する、果実類の販売展示用の紙トレーを、果実類が詰め込まれるトレーを形成する収容部が、２連に並列する２連型紙トレーとして成形すること及び、その２連に並列するトレーが、連結縁を中心に互いに回動することなく、単一の剛体枠を形成するように並列した状態とするように構成する。【解決手段】紙板を所定形状に板どり裁断した型紙を、箱成形機にかけて組立てた２連型紙テーパートレー（Ｔ）であって、左右に２連に並列するトレー（ｔ）・（ｔ）の、それぞれの前後の端壁（１ａ）の内側の辺縁（１１）が、前面視で前記端壁（１ａ）の底辺（１２）に対し略直角に交差する略垂直に形成する。【選択図】図４
0003131275.tif 000002
【実用新案登録請求の範囲】
【請求項１】
紙板を所定形状に板どり裁断した型紙を、箱成形機にかけて組立てた２連型紙テーパートレー（Ｔ）であって、左右に２連に並列するトレー（ｔ）・（ｔ）の、それぞれの前後の端壁（１ａ）の内側の辺縁（１１）が、前面視で前記端壁（１ａ）の底辺（１２）に対し略直角に交差する略垂直に形成してあることを特徴とする２連型紙テーパートレー。
【請求項２】
左右に２連に並列するトレー（ｔ）・（ｔ）のそれぞれの内側に位置する側壁（１ｂ）が、それらの上端縁において、並列する他方のトレー（ｔ）の内側の側壁（１ｂ）の上端縁と折曲自在の連結縁（２）を介し連結し、かつ、それら並列するトレー（ｔ）・（ｔ）の各内側の側壁（１ｂ）・（１ｂ）の前後の端縁が、略垂直な姿勢で、前後の端壁（１ａ）・（１ａ）の前記略垂直な内側の辺縁（１１）に対し、糊しろ部（４）を介し糊付け連結していることを特徴とする請求項１記載の２連型紙テーパートレー。
【請求項３】
左右に２連に並列するトレー（ｔ）・（ｔ）のそれぞれの前後の端壁（１ａ）の内側の辺縁（１１）が、前面視で前記端壁（１ａ）の底辺（１２）に対し略直角に交差する略垂直に形成してあり、並列するトレー（ｔ）・（ｔ）のそれぞれの内側に位置する側壁（１ｂ）が、それらの上端縁において、並列する他方のトレー（ｔ）の内側の側壁（１ｂ）の上端縁と、折曲自在の連結縁（２）を介し連結し、かつ、それら並列するトレー（ｔ）の各内側の側壁（１ｂ）・（１ｂ）の前後の端縁が、略垂直な姿勢で、前後の端壁（１ａ）・（１ａ）の前記略垂直な内側の辺縁（１１）に対し、糊しろ部（４）を介し糊付け連結していることを特徴とする請求項１記載の２連型紙テーパートレー。
【請求項４】
左右に２連に並列するトレー（ｔ）・（ｔ）のそれぞれの前後の端壁（１ａ）の内側の辺縁（１１）が、前面視で前記端壁（１ａ）の底辺（１２）に対し略直角に交差する略垂直に形成してあり、並列するトレー（ｔ）・（ｔ）のそれぞれの内側に位置する側壁（１ｂ）が、それらの上端縁において、並列する他方のトレー（ｔ）の内側の側壁（１ｂ）の上端縁と、折曲自在の連結縁（２）を介し連結し、かつ、それら並列するトレー（ｔ）の各内側の側壁（１ｂ）・（１ｂ）の前後の端縁が、略垂直な姿勢で、前後の端壁（１ａ）・（１ａ）の前記略垂直な内側の辺縁（１１）に対し、糊しろ部（４）を介し糊付け連結し、かつ、左右に並列するトレー（ｔ）・（ｔ）のそれぞれの内側の側壁（１ｂ）・（１ｂ）が、左右のトレー（ｔ）・（ｔ）の底壁（３）・（３）のそれぞれの底面を略水平な面に沿わせた状態において、互いに背中合わせに当接し合う状態となることを特徴とする請求項１記載の２連型紙テーパートレー。
【考案の詳細な説明】
【技術分野】
【０００１】
本考案は、トレー状に成形した収容部に、ぶどう等の果実類を盛り付けるように詰め、その状態で、商品陳列棚上に載置し、果実類を盛り付けて陳列し販売するように用いる販売展示用のトレーのうちで、紙板から裁断した型紙を折曲げ糊付けして組立てる紙を素材としたもので、かつ、トレーがダブルに並列する形態の２連型紙テーパートレーについての改良に関する。
【背景技術】
【０００２】
ぶどう等の果実類を、皿状ないし浅い平箱状に成形したトレーに盛り付けるように詰め、その状態で、店の、商品陳列棚上に載置して、果実類を展示、販売するように用いられる展示、販売用のトレーＴは、通常、合成樹脂材の成形加工により、図１に示している如く、果実類を収容する上方が開放するトレー状の収容部ａが、周壁を傾斜させた断面視で円弧状ないし台形状をなす形状とし、かつ、その収容部ａが左右に２連に並列して周縁に形成される鍔部ｂにより一体に連続する形態とした樹脂成形品として作られている。
【０００３】
この樹脂成形品の果実類の展示、販売用のトレーＴは、需要者が購入して果実類を食した後に捨てられたときの廃棄物としての処理の際に、燃焼処理を行うと、ダイオキシンを発生させるなどにより環境破壊を招くおそれのあることから、それの使用をさし控えることの要望が出てきている。
【０００４】
そして、樹脂成形品の代替となる環境破壊のおそれのない、紙製のトレーの使用が望まれている。
【０００５】
紙製のトレーは、従来からある。しかし、従前の紙トレーは、紙がプレス成形の加工には不向きであることで、紙板を、成形しようとするトレーを展開した形状の型紙に板どりし、これに、四周の周壁および底面を形成するための折曲線を入れる加工を行って、この型紙を箱成形機に装入して、各部分の折曲げ成形と糊付を行って、紙トレーＴに成形したものであり、図２にあるように、四周の周壁１を上方に向かい外側に拡く傾斜壁とした角皿状乃至平箱状のものである。そして、収容部ａが一つの単体のものである。
【０００６】
これは、紙板から型紙に板どりして紙箱成形機により成形加工を行って形成する紙トレーにあっては、収容部ａが２連並列する２連型のものに成形すると、図３に示しているよう並列する収容部ａが、並列して隣り合う周壁１の上縁部で形成される連結縁２だけで連結することになり、樹脂成形の２連並列型のトレーのように、平面に連続する上面側のフランジ部ｂを持たないことで、隣り合う周壁１の上縁部位で形成される連結縁２を中心に、並列する収容部が互いに屈曲回動するようになって、全体の剛性が弱くなり、商品の果実類を詰めた状態で、出荷から商品棚への展示までの搬送などの取扱を行うときに、その扱いが厄介になることによる。
【０００７】
特に商品の果実類を出荷するときに、果実類を詰めた状態で、多数個をコンテナに詰めて搬送する。そのコンテナに詰め込むとき、また、コンテナから取り出すときに、並列する一対のトレーｔを一緒に手で持たないと、手をかけない側のトレーｔが詰めた果実類の重量で、垂れ下がるようになって、詰めた果実類がこぼれ出るようになることで、取り扱いをすこぶる悪いものとする。
【考案の開示】
【考案が解決しようとする課題】
【０００８】
本考案が解決しようとする課題は、果実類を詰めて、商品陳列棚に載置する、果実類の販売展示用のトレーを、環境破壊に影響のない、紙を素材とした紙トレーとして成形するため、紙板から板どりした型紙を箱成形機にかけて周壁が傾斜する角皿状の紙トレーに成形することと、その成形する紙トレーを、果実類が詰め込まれるトレーを形成する収容部が、２連に並列する２連型紙トレーとして成形すること及び、その２連に並列するトレーが、連結縁を中心に互いに回動することなく、単一の剛体枠を形成するように並列した状態とするように構成する点にある。
【課題を解決するための手段】
【０００９】
本考案は、上述の課題を解決するための手段として、トレーが２連に並列するダブルトレーを、環境破壊に影響のない紙を素材に用い、その紙よりなる所定の厚さに形成した紙板を、成形しようとする２連型トレーを展開した形状の型紙に裁断し、底壁と周壁との連結縁となる部位に折曲線を付加して、これを箱成形機にかけて、折曲加工と糊付加工を行って２連型の紙トレーを成形するときに、並列するトレーの各前後の端壁は、前面視において内側の辺縁が略垂直で外側の辺縁が外面側に拡く傾斜縁とし、並列するトレーの左右の側壁のうちの、各内側の側壁は、前面視において、略垂直な姿勢を保持して前後の端縁の糊しろ部が、前述の前後の側壁に糊付けされる形状に成形して、２連型紙テーパートレーに構成する手段を提起するものである。
【考案の効果】
【００１０】
本考案による２連型紙テーパートレーは、素材が紙の紙板を所定形状に裁断、板どりした型紙を、箱成形機にかけて成形しているのだから、使用後に燃焼処理してもダイオキシンを発生することがなく、また、再生処理により再生紙としての使用が可能であるから、廃棄処理に環境汚染のおそれがなくなる。
【００１１】
そして、成形したダブルに並列する一対のトレーは、果実類を詰めた状態で、一方のトレーを持ったときに、他方のトレーが、果実の重量により下降回動すると、その他方のトレーの内側の周壁の外面が、一方のトレーの内側の周壁の外面に、背中合わせの状態となって接合し、それにより、互いに水平な姿勢を保持し合うようになる。
【００１２】
従って、一対に並列するトレーは、互いに隣り合う各内側の周壁の上端の連結縁を枢支軸として上方に向け回動するよう連結するようになるが、果実類を詰めた使用状態においては、果実の重量により前記連結縁中心に下降回動することで、それぞれの内側の周壁が背中合わせに接合して、一体的に連結するようになって、単一の剛体を剛性するようになり、取扱いを容易なものとする。
【考案を実施するための最良の形態】
【００１３】
次に本考案の実施の態様を、図面に従い詳述する。
【実施例１】
【００１４】
図４は本考案を実施せる２連型紙テーパートレーＴの成形した斜視図で、同図において、ｔ・ｔは左右に２連に並列するトレーを示し、１は、各トレーｔの周壁、１ａは、それら周壁１のうちの、前後の端壁、１ｂは、それら周壁１のうちの、各トレーｔ・ｔの内側に位置している側壁、２はその内側に位置する側壁１ｂの上端部で形成される連結縁を示す。
【００１５】
この２連型紙テーパートレーＴは、素材を紙とした紙板を、図５に示しているように、成形しようとする２連型紙テーパートレーを展開した形状に裁断し板どりして形成した型紙Ｂを箱成形機（図示していない）にかけ、周壁部の折曲げ加工と、糊しろ部４の糊付加工を行って組立てたものである。
【００１６】
この２連型紙テーパートレーＴの２連に並列する各トレーｔの四周の周壁１のうちの、前後の端壁１ａ・１ａは、図４にあるように、それの左右の辺縁が、外側に位置する辺縁１０にあっては、上方に向うに従い外側に張り出していく傾斜縁に形成してあるが、内側に位置する辺縁１１にあっては、垂直な線に沿う略垂直に形成してある。
【００１７】
これには、型紙Ｂを所定形状に板どりし、裁断するときに、前後の端壁１ａ・１ａの各内側の辺縁１１を形成する部位の裁断を、図５にあるように、底壁３を形成する部位と、内側の側壁１ｂを形成する部位との境界位置に形成する折曲線ｙの延長線に沿い、その側壁１ｂの下縁の辺縁と略直角に裁断しておくことで、箱成形機により組立て加工したときに、略垂直な辺縁を形成するようにしている。
【００１８】
従って、この２連型紙テーパートレーＴは、それの２連に並列するトレーｔは、それぞれが、前後の端壁１ａ・１ａと左右の側壁１ｂ・１ｂのうちの外側の側壁１ｂとを、上方に向け外側に拡く傾斜壁とするテーパートレーに形成してある。
【００１９】
この２連型紙テーパートレーＴは、所定形状に板どり裁断した型紙Ｂを箱成形機にかけて成形するときに、板どりした型紙Ｂに形成しておく、各トレーｔの前後の端壁１ａ・１ａの内側に位置する辺縁１１を、前述したように、底壁３とする部位と、内側の側壁１ｂとする部位との、境界位置に成形しておく折曲げ線ｙの延長線に沿わせて裁断しておくことだけで、組立て成形される。
【００２０】
即ち、左右の側壁１ｂ・１ｂ及び、それらの前後の辺縁に成形する糊しろ部４、及び、前後の端壁１ａ・１ａらの裁断形状、ならびにそれら各部の境界位置に付設する折曲線ｙの付設については、従前の紙トレーを型紙から箱成形機により成形するときと同様に行ってよいものである。
【００２１】
なお、図５に示している型紙は、箱成形機にかけるときに、左端側を先にして、供給し、それにより、箱成形機内を、右方から左方に向けて通過していくようになるもので、そのため、機内の移動方向の終端側となる右端側の糊しろ部４は、トレーｔの前後の端壁１ａの外側の辺縁に連続させて形設し、移動方向と直交する方向に折れ曲って糊付けされるようになっている。
【図面の簡単な説明】
【００２２】
【図１】従前の樹脂材の成形による２連型テーパートレーの斜視図である。
【図２】従前の紙板からなる型紙を箱成形機にかけて成形した紙テーパートレーの斜視図である。
【図３】通常手段により、紙板から形成した型紙を、箱成形機にかけて成形した２連型紙テーパートレーの斜視図である。
【図４】本考案手段により、紙板から形成した型紙を、箱成形機にかけて成形した２連型紙テーパートレーの斜視図である。
【図５】同上手段により成形する２連型紙テーパートレーに用いる型紙の展開図である。
【符号の説明】
【００２３】
Ｂ…型紙、Ｔ…２連型紙テーパートレー、ａ…収容部、ｂ…鍔部、ｔ…トレー、ｙ…折曲線、１ａ・１ａ…前後の端壁、１ｂ・１ｂ…左右の側壁、１…周壁、１０…外側の辺縁、１１…内側の辺縁、１２…底辺、２…連結縁、３…底壁、４…糊しろ部。
【図１】
0003131275.tif 000003
【図２】
0003131275.tif 000004
【図３】
0003131275.tif 000005
【図４】
0003131275.tif 000006
【図５】
0003131275.tif 000007